(57)【要約】【課題】連結印刷においても高品質の印刷画像を得る。そのための連結モードの設定を容易にする。【解決手段】画像データが表わす画像を記録媒体に印刷する作像装置１００；該作像装置で基準画像ＡｃＰを記録媒体に印刷する手段１３１；遠隔の画像処理装置Ｂの原稿読取装置の画像データを受信する通信手段ＡＣＰ；前記通信手段ＡＣＰが受信した、前記原稿読取装置が前記基準画像の記録媒体を読取った画像データに基いて、該原稿読取装置の画像データを前記作像装置１００が高画質で印刷するための画像データに補正する調整データを生成し保存する手段ＩＰＰ；および、前記通信手段ＡＣＰが受信した、前記原稿読取装置Ｂの画像データを前記調整データを用いて補正して前記作像装置１００に与える画質処理手段ＩＰＰ；を備える画像処理装置Ａ。【選択図】  図１６
2005026835.tif 000002
【特許請求の範囲】
【請求項１】
画像データが表わす画像を記録媒体に印刷する作像装置；
該作像装置で基準画像を記録媒体に印刷する手段；
遠隔の画像処理装置の原稿読取装置の画像データを受信する通信手段；
前記通信手段が受信した、前記原稿読取装置が前記基準画像の記録媒体を読取った画像データに基いて、該原稿読取装置の画像データを前記作像装置が高画質で印刷するための画像データに補正する調整データを生成し保存する手段；および、
前記通信手段が受信した、前記原稿読取装置の画像データを前記調整データを用いて補正して前記作像装置に与える画質処理手段；
を備える画像処理装置。
【請求項２】
原稿の画像を読取る自己側の原稿読取装置；および、該原稿読取装置が読取った原稿の画像データの送信を指定する手段；を更に備え、前記通信手段は、該送信指定手段が指定した画像処理装置に、前記自己側の原稿読取装置が読取った画像データを送信する；ことを特徴とする、請求項１に記載の画像処理装置。
【請求項３】
原稿の画像を読取る原稿読取装置；
遠隔の画像処理装置の作像装置で印刷した基準画像の、前記原稿読取装置で読取った画像データに基いて、該原稿読取装置の画像データを前記作像装置が高画質で印刷するために用いる画像データに補正する調整データを生成し保存する手段；
前記原稿読取装置の原稿読取の画像データを前記調整データを用いて補正する画質処理手段；
原稿読取装置が読取った原稿の画像データの送信を指定する手段；および、
該送信指定手段が指定した画像処理装置に、前記画質処理手段が補正した画像データを送信する通信手段；
を備える画像処理装置。
【請求項４】
前記調整データを生成する手段は、前記基準画像の記録媒体を第１面および第２面読取手段で読取った各画像データに基いて、該読取をした原稿読取装置の第１面および第２面読取手段の各画像データを前記作像装置が高画質で印刷するための画像データに補正する第１面および第２面読取用の各調整データを生成し；
前記画質処理手段は、前記原稿読取装置の第１面および第２面読取手段で読取った各画像データを第１面および第２面読取用の各調整データを用いてそれぞれ補正する；
請求項１，２又は３に記載の画像処理装置。
【請求項５】
前記作像装置は、画像データが表わす画像を表現する顕像を形成する作像手段，該作像手段が形成した顕像が転写される顕像担持手段，該転写の後に作像手段が形成した顕像を記録媒体の一方の面に、かつ、顕像担持手段に転写された顕像を該記録媒体の他方の面に、転写する手段，画像データを蓄積する画像蓄積手段，該画像蓄積手段に蓄積した画像データに基いて、両面印刷の場合には、前記作像手段で第１顕像を形成して前記顕像担持手段の転写面上に転写し、第１顕像の後に前記作像手段で第２顕像を形成して、第２顕像を記録媒体の一方の面に、かつ、前記顕像担持手段に転写された第１顕像を記録媒体の他方の面に転写し、片面印刷の場合には、前記作像手段で顕像を形成して直接に、又は前記顕像担持手段に転写してから、記録媒体に転写する印刷制御手段、および、前記作像手段で顕像を形成して直接に記録媒体に転写する第１転写モードによる基準画像の印刷と、前記作像手段で顕像を形成して前記顕像担持手段に転写してから記録媒体に転写する第２転写モードによる基準画像の印刷とを行う、基準画像を記録媒体に印刷する手段、を備え；
前記調整データを生成する手段は、前記基準画像の第１および第２転写モードの記録媒体を読取った各画像データに基いて、該読取をした原稿読取装置の画像データを前記作像装置が第１および第２転写モードで高画質に印刷するための画像データに補正する第１および第２転写モード用の各調整データを生成し；
前記画質処理手段は、前記原稿読取装置の画像データを、第１転写モードの印刷のときには第１転写モード用の調整データを用いて、第２転写モードの印刷のときには第２転写モード用の調整データを用いて、補正する；
請求項１乃至４の何れか１つに記載の画像処理装置。
【請求項６】
前記送信を指定する手段は、自己側の原稿読取装置が発生する画像データに対する調整データを生成していない画像処理装置への送信が指定されると警告を報知する；請求項２又は３に記載の画像処理装置。
【発明の詳細な説明】
【０００１】
【発明の属する技術分野】
本発明は、通信によって受信する画像データを印刷する画像処理装置および又は原稿を読取った画像を通信によって送信する画像処理装置に関し、特に、画像処理装置の原稿読取装置が画像を読取った画像データを通信によって、１以上の、画像形成装置に転送してそこの作像装置で印刷出力する連結印刷システムに用いて好適な画像処理装置に関する。本発明の画像処理装置は、例えば、複写機，プリンタあるいはファクシミリに用いることが出来る。
【０００２】
【従来技術】
デジタル複写機のような画像処理装置においては、原稿読取装置（原稿スキャナ）、または作像装置（プリンタ）の内部機構の経時的な状態変化等により、同じ原稿の複写画像を出力した場合でも、出力画像が異ったものになってしまう場合がある。画像複製の忠実性は、写真画像のような階調性が要求される画像において厳しく、さらにカラー画像を形成する場合には、モノクロ画像よりも格段の品質が必要となる。この問題を解決するためには、装置のキャリブレーションを行う必要があった。
【０００３】
【特許文献１】特開平９−３０７７５０号公報は、作像装置から所定のテストチャートをプリントアウトし、プリントアウトされたそのテストチャートを画像読取装置により読み取ることにより画像読取装置の読取特性と作像装置の記録特性の組合せにかかる画像処理特性を検知し、最適な処理を行うための画像調整データ（プリンタガンマ変換データ）を自動的に生成して、それを用いて作像装置に出力する画像データを補正する処理が記載されている。
【０００４】
また、用紙の表裏両面に画像を転写する両面印刷が利用されるが、転写方法としては、記録媒体の第一面（表面）に第１画像を転写し定着した後に、両面反転装置等を用いて記録媒体の表裏を反転して転写部に再給紙して、第二面（裏面）に第２画像を転写し定着する２行程給紙の画像形成プロセスが一般的である。しかしこの両面印刷では、両面反転装置等が必要不可欠となり、両面時のファーストプリントの排出が遅くなるのは否めないことであった。
【０００５】
【特許文献２】特開平１０−２６８６６４号公報には、感光体ドラムの周りに、Ｙ，Ｍ，Ｃ，Ｋ各色トナー像を形成する各作像機構を配設して、感光体ドラム上に、Ｙ，Ｍ，Ｃ，Ｋ各色トナー像を重ねた、用紙裏面印刷用の第１カラー顕像を形成し、これを感光体ドラムに対向し接触する転写ベルトに転写し、さらに感光体ドラム上に、用紙表面印刷用の第２カラー顕像を形成し、そして用紙を感光体ドラムと転写ベルトの間に通して、第１カラー顕像と第２カラー顕像を用紙の裏面と表面に同時に転写する両面印刷機能があるカラー作像装置が記載されている。これによれば、両面反転機構はなく、１行程給紙により、両面印刷が完成する。したがって、両面印刷を早くすることが出来る。
【０００６】
【特許文献３】特開２０００−１０３８１号公報には、Ｙ，Ｍ，Ｃ，Ｋ各色トナー像を形成する各現像装置をリボルバーに装備して、感光体ドラム上に各色トナー像を順次に重ね形成して第１カラー顕像とし、これを感光体ドラムに対向し接触する一次転写ベルトに転写し、そして二次転写ベルトに転写し、さらに感光体ドラム上に、用紙表面印刷用の第２カラー顕像を形成して一次転写ベルトに転写し、そして用紙を一次転写ベルトと二次転写ベルトの間に通して、第１カラー顕像と第２カラー顕像を用紙の裏面と表面に同時に転写する両面印刷機能があるカラー作像装置が記載されている。これによっても、両面反転機構はなく、１行程給紙により、両面印刷が完成する。
【特許文献４】特開２００２−１１６６７９号公報の図１１には、Ｙ，Ｍ，Ｃ，Ｋ各色トナー像を形成する各現像装置をリボルバーに装備して、感光体ドラム上に各色トナー像を順次に重ね形成して第１カラー顕像とし、これを感光体ドラムに対向し接触する転写ベルトに転写し、さらに感光体ドラム上に、用紙表面印刷用の第２カラー顕像を形成し、そして用紙を感光体ドラムと転写ベルトの間に通して、第１カラー顕像と第２カラー顕像を用紙の裏面と表面に同時に転写する両面印刷機能があるカラー作像装置が記載されている。これによっても、両面反転機構はなく、１行程給紙により、両面印刷が完成する。
【０００７】
一方、近年のデジタル複写機においては、１ジョブあたりのコピー量が増加していているため高速化することによりジョブ終了までの時間を短縮しているが、１台の装置での処理量には限界がある。そこで、たとえば１枚の複写原稿から１００枚の印刷を効率的に処理するためのシステムとして、デジタル複写機などの画像形成装置を通信回線を介して複数連結し、それぞれ並行して印刷を行う、いわゆる連結モードによるコピー動作が知られている。
【０００８】
【特許文献５】特開平５−３０４５７５号公報は、大量複写を単時間で完了するために、１つの複写機で原稿の画像を読み取ると、他の複写機に画像データを伝送して複数の複写機で同じ複写をするデジタル複写装置を記載している。
【０００９】
特にカラープリントは、印刷速度が黒単色よりも遅くなるので、連結モードを利用して複数のカラー複写機又はプリンタで所要部数を分配して並行して印刷することが望まれる。
【００１０】
【発明が解決しようとする課題】
このような連結モードの画像形成において、画像データ伝送側複写機の画像読取装置と受信側複写機の作像装置との組合せによっては、印刷画像の品質が悪くなることがあり、特にカラープリントにおいて画像品質が悪化しやすい。
【００１１】
また最近は、原稿表面読取用と裏面読取用の撮像装置を個別に備える両面読取が可能な画像読取装置があり、また、上述の特許文献２〜４に記載があるような、転写ベルトを用いる両面印刷作像装置があるが、画像読取装置においては原稿の表面読取特性と裏面読取特性が相違し、両面印刷作像装置においては用紙表面（第１面）に対する作像特性と裏面（第２面）に対する作像特性も相違し、両面読取機能がある画像読取装置と、転写ベルトを用いる両面印刷機能がある作像装置との組合せによる複写モードが、原稿表面読取−用紙表面に印刷，原稿表面読取−用紙裏面に印刷，原稿裏面読取−用紙表面に印刷，原稿裏面読取−用紙裏面に印刷、の４通りが考えられ、各モードで画像再現（複写）特性が異なり、モードによっては画像品質が悪化することが考えられる。この両面複写機能がある画像処理装置を連結印刷システムに接続すると、該システムに於いては、複写機，プリンタの連結の組合せモードが複雑になり、画像品質の悪化を生ずる可能性が高くなる。高品質のプリントアウト画像が得られる連結モードの設定、すなわちプリントアウトを分担する複写機あるいはプリンタの選定と、上述の各モードの選択が難しくなる。
【００１２】
本発明は、連結印刷においても高品質の印刷画像を得ることを第１の目的とし、そのための連結モードの設定を容易にすることを第２の目的とする。
【００１３】
【課題を解決するための手段】
（１）画像データが表わす画像を記録媒体に印刷する作像装置（１００）；
該作像装置で基準画像（ＡｃＰ）を記録媒体に印刷する手段（１３１）；
遠隔の画像処理装置（Ｂ）の原稿読取装置の画像データを受信する通信手段（ＡＣＰ）；
前記通信手段（ＡＣＰ）が受信した、前記原稿読取装置が前記基準画像の記録媒体を読取った画像データに基いて、該原稿読取装置の画像データを前記作像装置（１００）が高画質で印刷するための画像データに補正する調整データを生成し保存する手段（ＩＰＰ）；および、
前記通信手段（ＡＣＰ）が受信した、前記原稿読取装置（Ｂ）の画像データを前記調整データを用いて補正して前記作像装置（１００）に与える画質処理手段（ＩＰＰ）；
を備える画像処理装置（Ａ）。
【００１４】
なお、理解を容易にするためにカッコ内には、図面に示し後述する実施例の対応要素又は対応事項の符号を、例示として参考までに付記した。以下も同様である。
【００１５】
これによれば、前記画像処理装置（Ａ）の作像手段（１００）が基準画像（Ａｃｐ）を印刷した記録媒体を、連結印刷で画像データ源となり得る画像処理装置（Ｂ）の原稿読取手段に持ち運んで該記録媒体の画像（基準画像）を読取ってその画像データを、画像処理装置（Ｂ）から前記通信手段（ＡＣＰ）に送信すると、調整データを生成する手段（ＩＰＰ）が、該画像データを前記作像装置（１００）が高画質で印刷するための調整データを生成して保存する。
【００１６】
その後連結印刷のために、画像処理装置（Ｂ）の原稿読取装置が原稿の画像を読取って、その画像データを画像処理装置（Ｂ）から前記画像処理装置（Ａ）の前記通信手段（ＡＣＰ）に送信すると、前記画質処理手段（ＩＰＰ）が、受信した画像データを前記調整データを用いて補正する。これにより、画像処理装置（Ｂ）の原稿読取装置の画像データが、作像装置（１００）が高画質で印刷するための画像データに補正されて、作像装置（１００）が高画質の画像をプリントアウトする。
【００１７】
上記のように調整データを生成すると、画像処理装置（Ｂ）の原稿読取装置から画像データを画像形成装置（Ａ）に転送して画像形成装置（Ａ）でプリントアウトする連結印刷を指定するだけで、高品質の印刷画像が得られる。すなわち、高品質の印刷画像が得られる連結モードの設定が容易である。
【００１８】
【発明の実施の形態】
（２）原稿の画像を読取る自己側の原稿読取装置（２１０，２３０）；および、該原稿読取装置が読取った原稿の画像データの送信を指定する手段（２２０，図１２の８０ｊ，８０ｋ）；を更に備え、前記通信手段（ＡＣＰ）は、該送信指定手段（２２０，図１２の８０ｊ，８０ｋ）が指定した画像処理装置（Ｂ）に、前記自己側の原稿読取装置（２１０，２３０）が読取った画像データを送信する；ことを特徴とする、上記（２）に記載の画像処理装置。
【００１９】
これによれば画像処理装置（Ａ）において指定手段（２２０，図１２の８０ｊ，８０ｋ）を用いて、自己側の原稿読取手段（２１０，２３０）の画像データを他の画像処理装置（Ｂ）に送信して印刷する連結モードを実行できる。予め、画像データの転送対象となり得る他の画像処理装置（Ｂ）において基準画像（Ａｃｐ）を印刷してその記録媒体を自己側の原稿読取手段（２１０，２３０）で読取り、その画像データを他の画像処理装置（Ｂ）に送信して、他の画像処理装置（Ｂ）に調整データを生成して保持しておくことにより、自己側の原稿読取手段（２１０，２３０）から他の画像処理装置（Ｂ）に画像データを送る連結印刷の印刷画像が高品質になる。指定手段（２２０，図１２の８０ｊ，８０ｋ）で連結印刷を指定するだけで、高品質の印刷画像が得られる。すなわち、高品質の印刷画像が得られる連結モードの設定が容易である。
【００２０】
（３）原稿の画像を読取る原稿読取装置（２１０，２３０）；
遠隔の画像処理装置（Ｂ）の作像装置で印刷した基準画像の、前記原稿読取装置（２１０，２３０）で読取った画像データに基いて、該原稿読取装置の画像データを前記作像装置が高画質で印刷するために用いる画像データに補正する調整データを生成し保存する手段（ＩＰＰ）；
前記原稿読取装置（２１０，２３０）の原稿読取の画像データを前記調整データを用いて補正する画質処理手段（ＩＰＰ）；
原稿読取装置（２１０，２３０）が読取った原稿の画像データの送信を指定する手段（２２０，図１２の８０ｊ，８０ｋ）；および、
該送信指定手段（２２０）が指定した画像処理装置（Ｂ）に、前記画質処理手段（ＩＰＰ）が補正した画像データを送信する通信手段（ＡＣＰ）；
を備える画像処理装置（Ａ）。
【００２１】
これによれば画像処理装置（Ａ）において指定手段（２２０，図１２の８０ｊ，８０ｋ）を用いて、原稿読取手段（２１０，２３０）の画像データを他の画像処理装置（Ｂ）に送信して印刷する連結モードを実行できる。予め、画像データの転送対象となり得る他の画像処理装置（Ｂ）において基準画像（Ａｃｐ）を印刷してその記録媒体を原稿読取手段（２１０，２３０）で読取り、その画像データを画像処理装置（Ｂ）が高画質で印刷するための調整データを生成して保存する。
【００２２】
その後連結印刷のために、画像処理装置（Ａ）の原稿読取装置で原稿の画像を読取って、その画像データを画質処理手段（ＩＰＰ）で補正し、通信手段（ＡＣＰ）で、送信指定手段（２２０）が指定した画像処理装置（Ｂ）に、補正した画像データを送信する。
【００２３】
これにより、画像処理装置（Ａ）の原稿読取装置（２１０，２３０）の画像データが、画像処理装置（Ｂ）が高画質で印刷するための画像データに補正されて画像処理装置（Ｂ）に送られ、そこで印刷される。
【００２４】
上記のように調整データを生成すると、画像処理装置（Ａ）の原稿読取装置（２１０，２３０）から画像データを画像処理装置（Ｂ）に転送して画像処理装置（Ｂ）でプリントアウトする連結印刷を指定するだけで、高品質の印刷画像が得られる。すなわち、高品質の印刷画像が得られる連結モードの設定が容易である。
【００２５】
（４）前記調整データを生成する手段（ＩＰＰ）は、前記基準画像（ＡｃＰ）の記録媒体を第１面および第２面読取手段で読取った各画像データに基いて、該読取をした原稿読取装置の第１面および第２面読取手段の各画像データを前記作像装置が高画質で印刷するための画像データに補正する第１面および第２面読取用の各調整データを生成し；
前記画質処理手段（ＩＰＰ）は、前記原稿読取装置の第１面および第２面読取手段で読取った各画像データを第１面および第２面読取用の各調整データを用いてそれぞれ補正する；上記（１），（２）又は（３）に記載の画像処理装置。
【００２６】
これによれば、原稿読取装置の第１面読取手段の画像読取と作像装置の印刷との組合せとなる連結モードの、第１面読取調整データが生成され、かつ、原稿読取装置の第２面読取手段の画像読取と作像装置の印刷との組合せとなる連結モードの、第２面読取調整データが生成される。
【００２７】
上記のように調整データを生成すると、画像処理装置（Ａ）の両面原稿読取装置の画像データを画像形成装置（Ｂ）に転送して画像形成装置（Ｂ）の作像装置でプリントアウトする連結印刷を指定するだけで、原稿の両面それぞれを読取った画像の高品質の印刷画像が得られる。すなわち、高品質の印刷画像が得られる、表面読取，裏面読取あるいは両面読取の連結モードの設定が容易である。
【００２８】
（５）前記作像装置は、画像データが表わす画像を表現する顕像を形成する作像手段（１〜１２），該作像手段が形成した顕像が転写される顕像担持手段（１３），該転写の後に作像手段（１〜１２）が形成した顕像を記録媒体の一方の面に、かつ、顕像担持手段（１３）に転写された顕像を該記録媒体の他方の面に、転写する手段（１７，１９，画像データを蓄積する画像蓄積手段（ＭＥＭ，ＨＤＤ，ＡＣＰ），該画像蓄積手段に蓄積した画像データに基いて、両面印刷の場合には、前記作像手段（１〜１２）で第１顕像を形成して前記顕像担持手段（１３）の転写面上に転写し、第１顕像の後に前記作像手段（１〜１２）で第２顕像を形成して、第２顕像を記録媒体の一方の面に、かつ、前記顕像担持手段（１３）に転写された第１顕像を記録媒体の他方の面に転写し、片面印刷の場合には、前記作像手段（１〜１２）で顕像を形成して直接に、又は前記顕像担持手段（１３）に転写してから、記録媒体に転写する印刷制御手段（１３１）、および、前記作像手段（１〜１２）で顕像を形成して直接に記録媒体に転写する第１転写モードによる基準画像の印刷と、前記作像手段（１〜１２）で顕像を形成して前記顕像担持手段に転写してから記録媒体に転写する第２転写モードによる基準画像の印刷とを行う、基準画像を記録媒体に印刷する手段（１３１）、を備え；
前記調整データを生成する手段（ＩＰＰ）は、前記基準画像の第１および第２転写モードの記録媒体を読取った各画像データに基いて、該読取をした原稿読取装置の画像データを前記作像装置が第１および第２転写モードで高画質に印刷するための画像データに補正する第１および第２転写モード用の各調整データを生成し；
前記画質処理手段（ＩＰＰ）は、前記原稿読取装置の画像データを、第１転写モードの印刷のときには第１転写モード用の調整データを用いて、第２転写モードの印刷のときには第２転写モード用の調整データを用いて、補正する；
上記（１）乃至（４）の何れか１つに記載の画像処理装置。
【００２９】
これによれば、基準画像（Ａｃｐ）を第１転写モードで印刷し、その画像を原稿読取装置で読取ることにより原稿読取装置の画像読取と作像装置の第１転写モードの印刷との組合せとなる連結モードの、第１転写モード用の調整データが生成される。そして同様に、基準画像（Ａｃｐ）を第２転写モードで印刷し、その画像を原稿読取装置で読取ることにより、原稿読取装置の画像読取と作像装置の第２転写モードの印刷との組合せとなる連結モードの、第２転写モード用の調整データが生成される。
【００３０】
上記のように調整データを生成すると、原稿読取装置の画像データを作像装置に転送して第１転写モード又は第２転写モードの印刷をする連結印刷を指定するだけで、高品質の印刷画像が得られる。すなわち、高品質の印刷画像が得られる連結モードの設定が容易である。
【００３１】
（６）前記送信を指定する手段（２２０，図１２の８０ｊ，８０ｋ）は、自己側の原稿読取装置が発生する画像データに対する調整データを生成していない画像処理装置への送信が指定されると警告を報知する（図１３）；上記（２）又は（３）に記載の画像形成装置。これによれば、ユーザは、警報（図１３）によって調整データの生成が必要であることが分る。高品質の連結印刷を希望する場合には、上記（１）又は（３）に記述した調整データの生成を行えばよい。
【００３２】
（７）前記送信を指定する手段（２２０，図１２の８０ｊ，８０ｋ）は、自己側の原稿読取手段が発生する画像データに対する調整データの生成時期が古い画像形成装置への送信が指定されると警告を報知する（図１４）；上記（２），（３）又は（６）に記載の画像処理装置。
【００３３】
（８）印刷用画像データが表わす画像を表現する顕像を形成する作像手段（１〜１２）；画像データを前記作像手段（１〜１２）に適合する印刷用画像データに補正する画質処理手段（ＩＰＰ）；および、受信画像データを該画質処理手段（ＩＰＰ）に与える通信手段（ＡＣＰ）；を備える画像形成装置において、
前記作像手段（１〜１２）で基準画像（Ａｃｐ）を記録媒体に印刷する手段（１３１）；および、
前記通信手段（ＡＣＰ）が受信した、前記基準画像（ＡｃＰ）の記録媒体を読取った画像データに基いて、該読取をした原稿読取手段（Ｂ）の画像データを前記作像手段（１〜１２）が高画質で印刷するための印刷用画像データに補正する調整データを生成する手段（ＩＰＰ）；を備え、
前記画質処理手段（ＩＰＰ）は、前記原稿読取手段（Ｂ）の画像データを前記調整データを用いて前記印刷用画像データに補正する；
ことを特徴とする画像形成装置（Ａ）。
【００３４】
これによれば、前記画像形成装置（Ａ）の前記印刷する手段（１３１）が基準画像（Ａｃｐ）を印刷した記録媒体を、連結印刷で画像データ源となり得る複写機又は画像読取装置である原稿読取手段（Ｂ）に持ち運んで該記録媒体の画像（基準画像）を読取ってその画像データを、前記通信手段（ＡＣＰ）に送信すると、調整データを生成する手段（ＩＰＰ）が、該画像データを前記作像手段（１〜１２）が高画質で印刷するための印刷用画像データに補正する調整データを生成する。
【００３５】
その後連結印刷のために、原稿読取手段（Ｂ）が原稿の画像を読取って、その画像データを前記画像形成装置（Ａ）の前記通信手段（ＡＣＰ）に送信すると、前記画質処理手段（ＩＰＰ）が、原稿読取手段（Ｂ）の画像データを前記調整データを用いて前記印刷用画像データに補正する。これにより、原稿読取手段（Ｂ）の画像データが、作像手段（１〜１２）が高画質で印刷するための印刷用画像データに補正されて、作像手段（１〜１２）が高画質の画像をプリントアウトする。上記のように調整データを生成すると、上記原稿読取手段（Ｂ）から画像データを画像形成装置（Ａ）に転送して画像形成装置（Ａ）でプリントアウトする連結印刷を指定するだけで、高品質の印刷画像が得られる。すなわち、高品質の印刷画像が得られる連結モードの設定が容易である。
【００３６】
（９）前記調整データを生成する手段（ＩＰＰ）は、前記通信手段（ＡＣＰ）が受信した、前記基準画像（ＡｃＰ）の記録媒体を第１面および第２面読取手段で読取った各画像データに基いて、該読取をした原稿読取手段（Ｂ）の第１面および第２面読取手段の各画像データを前記作像手段（１〜１２）が高画質で印刷するための印刷用画像データに補正する第１面および第２面読取用の各調整データを生成し；
前記画質処理手段（ＩＰＰ）は、前記原稿読取手段（Ｂ）の第１面および第２面読取手段で読取った各画像データを第１面および第２面読取用の各調整データを用いて各印刷用画像データに補正する；上記（８）に記載の画像形成装置。
【００３７】
これによれば、前記画像形成装置（Ａ）の前記印刷する手段（１３１）によって基準画像（Ａｃｐ）を印刷し、その記録媒体の画像を、原稿読取手段（Ｂ）の第１面読取手段で読取って通信手段（ＡＣＰ）に送信することにより、原稿読取手段（Ｂ）の第１面読取手段の画像読取と前記作像手段（１〜１２）の印刷との組合せとなる連結モードの、第１面読取調整データが生成される。そして同様に、該記録媒体の画像を、原稿読取手段（Ｂ）の第２面読取手段で読取って通信手段（ＡＣＰ）に送信することにより、原稿読取手段（Ｂ）の第２面読取手段の画像読取と前記作像手段（１〜１２）の印刷との組合せとなる連結モードの、第２面読取調整データが生成される。
【００３８】
上記のように調整データを生成すると、上記原稿読取手段（Ｂ）から画像データを画像形成装置（Ａ）に転送して画像形成装置（Ａ）でプリントアウトする連結印刷を指定するだけで、高品質の印刷画像が得られる。すなわち、高品質の印刷画像が得られる連結モードの設定が容易である。
【００３９】
（１０）画像データを蓄積する画像蓄積手段（ＭＥＭ，ＨＤＤ，ＡＣＰ）；
前記作像手段が形成した顕像が転写される顕像担持手段（１３）；
該転写の後に作像手段が形成した顕像を記録媒体の一方の面に、かつ、顕像担持手段に転写された顕像を該記録媒体の他方の面に、転写する手段（１７，１９）；および、
前記画像蓄積手段（ＭＥＭ，ＨＤＤ，ＡＣＰ）に蓄積した画像データに基いて、両面印刷の場合には、前記作像手段（１〜１２）で第１顕像を形成して前記顕像担持手段（１３）の転写面上に転写し、第１顕像の後に前記作像手段（１〜１２）で第２顕像を形成して、第２顕像を記録媒体の一方の面に、かつ、前記顕像担持手段（１３）に転写された第１顕像を記録媒体の他方の面に転写し、片面印刷の場合には、前記作像手段（１〜１２）で顕像を形成して直接に、又は前記顕像担持手段（１３）に転写してから、記録媒体に転写する印刷制御手段（１３１）；を更に備え、
前記基準画像（Ａｃｐ）を記録媒体に印刷する手段（１３１）は、前記作像手段（１〜１２）で顕像を形成して直接に記録媒体に転写する第１転写モードによる基準画像（Ａｃｐ）の印刷と、前記作像手段（１〜１２）で顕像を形成して前記顕像担持手段（１３）に転写してから記録媒体に転写する第２転写モードによる基準画像（Ａｃｐ）の印刷とを行い；
前記調整データを生成する手段（ＩＰＰ）は、前記通信手段（ＡＣＰ）が受信した、前記基準画像（ＡｃＰ）の第１および第２転写モードの記録媒体を読取った各画像データに基いて、該読取をした原稿読取手段（Ｂ）の画像データを前記作像手段（１〜１２）が第１および第２転写モードで高画質に印刷するための印刷用画像データに補正する第１および第２転写モード用の各調整データを生成し；
前記画質処理手段（ＩＰＰ）は、前記原稿読取手段（Ｂ）の画像データを、第１転写モードの印刷のときには第１転写モード用の調整データを用いて、第２転写モードの印刷のときには第２転写モード用の調整データを用いて、前記印刷用画像データに補正する；上記（８）に記載の画像形成装置。
【００４０】
これによれば、前記画像形成装置（Ａ）の前記印刷する手段（１３１）によって基準画像（Ａｃｐ）を第１転写モードで印刷し、その画像を原稿読取手段（Ｂ）で読取って通信手段（ＡＣＰ）に送信することにより、原稿読取手段（Ｂ）の画像読取と前記作像手段（１〜１２）の第１転写モードの印刷との組合せとなる連結モードの、第１転写モード用の調整データが生成される。そして同様に、基準画像（Ａｃｐ）を第２転写モードで印刷し、その画像を原稿読取手段（Ｂ）で読取って通信手段（ＡＣＰ）に送信することにより、原稿読取手段（Ｂ）の画像読取と前記作像手段（１〜１２）の第２転写モードの印刷との組合せとなる連結モードの、第２転写モード用の調整データが生成される。
【００４１】
上記のように調整データを生成すると、上記原稿読取手段（Ｂ）から画像データを画像形成装置（Ａ）に転送して画像形成装置（Ａ）でプリントアウトする連結印刷を指定するだけで、高品質の印刷画像が得られる。すなわち、高品質の印刷画像が得られる連結モードの設定が容易である。
【００４２】
（１０ａ）画像データを蓄積する画像蓄積手段（ＭＥＭ，ＨＤＤ，ＡＣＰ）；
前記作像手段が形成した顕像が転写される顕像担持手段（１３）；
該転写の後に作像手段が形成した顕像を記録媒体の一方の面に、かつ、顕像担持手段に転写された顕像を該記録媒体の他方の面に、転写する手段（１７，１９）；および、
前記画像蓄積手段（ＭＥＭ，ＨＤＤ，ＡＣＰ）に蓄積した画像データに基いて、両面印刷の場合には、前記作像手段（１〜１２）で第１顕像を形成して前記顕像担持手段（１３）の転写面上に転写し、第１顕像の後に前記作像手段（１〜１２）で第２顕像を形成して、第２顕像を記録媒体の一方の面に、かつ、前記顕像担持手段（１３）に転写された第１顕像を記録媒体の他方の面に転写し、片面印刷の場合には、前記作像手段（１〜１２）で顕像を形成して直接に、又は前記顕像担持手段（１３）に転写してから、記録媒体に転写する印刷制御手段（１３１）；を更に備え、
前記基準画像（Ａｃｐ）を記録媒体に印刷する手段（１３１）は、前記作像手段（１〜１２）で顕像を形成して直接に記録媒体に転写する第１転写モードによる基準画像（Ａｃｐ）の印刷と、前記作像手段（１〜１２）で顕像を形成して前記顕像担持手段（１３）に転写してから記録媒体に転写する第２転写モードによる基準画像（Ａｃｐ）の印刷とを行い；
前記調整データを生成する手段（ＩＰＰ）は、通信手段（ＡＣＰ）が受信した、前記基準画像（ＡｃＰ）の第１転写モードによる記録媒体を第１面および第２面読取手段で読取った各画像データに基いて、該読取をした原稿読取手段（Ｂ）の第１面および第２面読取手段の各画像データを前記作像手段（１〜１２）が高画質で印刷するための印刷用画像データに補正する第１面読取第１転写モード用および第２面読取第１転写モード用の各調整データを生成し、かつ、前記基準画像（ＡｃＰ）の第２転写モードによる記録媒体を第１面および第２面読取手段で読取った各画像データに基いて、該読取をした原稿読取手段（Ｂ）の第１面および第２面読取手段の各画像データを前記作像手段（１〜１２）が高画質で印刷するための印刷用画像データに補正する第１面読取第２転写モード用および第２面読取第２転写モード用の各調整データを生成し；
前記画質処理手段（ＩＰＰ）は、前記原稿読取手段（Ｂ）の第１面および第２面読取手段で読取った各画像データを、第１面読取第１転写モード用および第２面読取第１転写モード用の各調整データもしくは第１面読取第２転写モード用および第２面読取第２転写モード用の各調整データを用いて各印刷用画像データに補正する；上記（８）に記載の画像形成装置。
【００４３】
これによれば、前記画像形成装置（Ａ）の前記印刷する手段（１３１）によって基準画像（Ａｃｐ）を第１転写モードで印刷し、その記録媒体の画像を、原稿読取手段（Ｂ）の第１面読取手段で読取って通信手段（ＡＣＰ）に送信することにより、原稿読取手段（Ｂ）の第１面読取手段の画像読取と前記作像手段（１〜１２）の第１転写モードの印刷との組合せとなる連結モードの、第１面読取第１転写モード用の調整データが生成される。そして同様に、該記録媒体の画像を、原稿読取手段（Ｂ）の第２面読取手段で読取って通信手段（ＡＣＰ）に送信することにより、原稿読取手段（Ｂ）の第２面読取手段の画像読取と前記作像手段（１〜１２）の第１転写モードの印刷との組合せとなる連結モードの、第２面読取第１転写モード用の調整データが生成される。
【００４４】
同様に、前記画像形成装置（Ａ）の前記印刷する手段（１３１）によって基準画像（Ａｃｐ）を第２転写モードで印刷し、その記録媒体の画像を、原稿読取手段（Ｂ）の第１面読取手段で読取って通信手段（ＡＣＰ）に送信することにより、原稿読取手段（Ｂ）の第１面読取手段の画像読取と前記作像手段（１〜１２）の第２転写モードの印刷との組合せとなる連結モードの、第１面読取第２転写モード用の調整データが生成される。そして同様に、該記録媒体の画像を、原稿読取手段（Ｂ）の第２面読取手段で読取って通信手段（ＡＣＰ）に送信することにより、原稿読取手段（Ｂ）の第２面読取手段の画像読取と前記作像手段（１〜１２）の第２転写モードの印刷との組合せとなる連結モードの、第２面読取第２転写モード用の調整データが生成される。
【００４５】
上記のように調整データを生成すると、上記原稿読取手段（Ｂ）から画像データを画像形成装置（Ａ）に転送して画像形成装置（Ａ）でプリントアウトする連結印刷を指定するだけで、高品質の印刷画像が得られる。すなわち、高品質の印刷画像が得られる連結モードの設定が容易である。
【００４６】
（１１）原稿の画像を読取る自己側の原稿読取手段（２１０，２３０）；および、
前記原稿読取手段（２１０，２３０）が読取った原稿の画像データの送信を指定する手段（２２０，図１２の８０ｊ，８０ｋ）；を更に備え、
前記通信手段（ＡＣＰ）は、該送信指定手段が指定した画像形成装置に、前記自己側の原稿読取手段（２１０，２３０）が読取った画像データを送信する；
ことを特徴とする、上記（１）乃至（３ａ）の何れか１つに記載の画像形成装置。
【００４７】
これによれば画像形成装置（Ａ）において指定手段（２２０，図１２の８０ｊ，８０ｋ）を用いて、自己側の原稿読取手段（２１０，２３０）の画像データを他の画像形成装置（Ｂ）に送信して印刷する連結モードを実行できる。予め、画像データの転送対象となり得る他の画像形成装置（Ｂ）において基準画像（Ａｃｐ）を印刷してその記録媒体を自己側の原稿読取手段（２１０，２３０）で読取り、その画像データを他の画像形成装置（Ｂ）に送信して、他の画像形成装置（Ｂ）に調整データを生成しておくことにより、自己側の原稿読取手段（２１０，２３０）から他の画像形成装置（Ｂ）に画像データを送る連結印刷の印刷画像が高品質になる。指定手段（２２０，図１２の８０ｊ，８０ｋ）で連結印刷を指定するだけで、高品質の印刷画像が得られる。すなわち、高品質の印刷画像が得られる連結モードの設定が容易である。
【００４８】
（１１ａ）前記自己側の原稿読取手段（２１０，２３０）は、同一原稿の第１面（表面）の画像を読取る第１面読取手段（２１０の２０７）および第２面（裏面）を読取る第２面読取手段（２３０の２０８）を備える；上記（４）に記載の画像形成装置。これによれば、画像形成装置（Ａ）において両面原稿の両面同時読取りが可能であり、両面画像の連結印刷が可能である。
【００４９】
（１２）前記送信を指定する手段（２２０）は、自己側の原稿読取手段（２１０，２３０）が発生する画像データに対する調整データを生成していない画像形成装置への送信が指定されると警告を報知する；上記（１１）に記載の画像形成装置。これによれば、ユーザは、警報によって調整データの生成が必要であることが分る。高品質の連結印刷を希望する場合には、上記（８）〜（１１ａ）に記述した調整データの生成を行えばよい。
【００５０】
（１３）前記送信を指定する手段（２２０）は、自己側の原稿読取手段（２１０，２３０）が発生する画像データに対する調整データの生成時期が古い画像形成装置への送信が指定されると警告を報知する；上記（１１）又は（１２）に記載の画像形成装置。画像読取特性および印刷特性は経時的に変動し、特に印刷特性が変動しやすく、調整データが古い時期に生成したものであると、連結印刷の画像品質が低くなる可能性がある。この場合、警報によって調整データの再生成が必要であることが分る。高品質の連結印刷を希望する場合には、上記（９）〜（１０ａ）に記述した調整データの生成を再度行えばよい。
【００５１】
（１４）作像手段（１〜１２）は、複数の異色顕像を重ねたカラー顕像を形成するカラー作像手段（ａ〜ｄ）である；上記（８）〜（１３）の何れか１つに記載の画像形成装置。これによれば、カラー両面，片面印刷又はコピーにおいて、上記（８）〜（１３）に記載の作用効果を同様に得ることが出来る。
【００５２】
（１５）作像手段（１〜１２）は、タンデム配列された複数の作像ユニット（ａ〜ｄ）および各作像ユニットが形成した顕像が順次に重ね転写される第１転写媒体（７）を含む、上記（８）〜（１４）の何れか１つに記載の画像形成装置。これによれば、タンデム配列された複数の作像ユニット（ａ〜ｄ）が作成した顕像を第１転写媒体（７）に重ね転写するので、カラー顕像の作像速度を速くすることが出来る。これに加えて、両面印刷の速度も速くすることが出来るので、カラー画像印刷あるいはコピーの高速化が可能である。
【００５３】
（１６）第１の像担持体（１）、第２の像担持体（７）及び第３の像担持体（１３）を有し、前記第１の像担持体から第２の像担持体へ転写し、さらに第２の像担持体から第３の像担持体に転写した顕像を記録媒体の一方の第１面に転写するとともに、前記第１の像担持体から第２の像担持体へ転写した顕像を記録媒体の他方の第２面に転写することにより記録媒体の両面に顕像を転写可能な像形成手段（１００）と、読み取った原稿のＲＧＢ画像データを発生するカラー両面同時読み取り可能な原稿読取装置（２１０，２２０）と、ＲＧＢ画像データを前記像形成手段（１００）が画像形成に用いるＫＣＭＹ画像データに補正する画質処理手段（ＩＰＰ）と、通信ラインから受信した画像データを該画質処理手段（ＩＰＰ）に与え前記原稿読取装置（２１０，２２０）が読取った原稿の画像データを通信ラインに送出する通信手段（ＡＣＰ）と、該通信手段（ＡＣＰ）に連結印刷のための画像データ送信を指定する手段（２２０）と、前記像形成手段（１００）の用紙第１面もしくは第２面への基準画像の転写と、前記通信ラインを介して画像データを送信してくる他のカラー両面同時読み取り可能な原稿読取装置の表面もしくは裏面読取手段の、前記基準画像を転写した記録媒体の読取画像データとのそれぞれの組み合わせで自動画像調整を行いその画像調整データを保存する調整データ生成手段（ＩＰＰ）と、前記他の原稿読取装置から送られる原稿の画像データを該画像調整データを使用して前記像形成手段（１００）が画像形成に用いるＫＣＭＹ画像データに変換する前記画質処理手段（ＩＰＰ）と、を備える画像形成装置。
【００５４】
これによれば、連結コピー時にどんな読取装置と画像出力装置の面との組み合わせであっても、常に同じ色合い、画質の出力画像を得ることが出来る。
【００５５】
（１７）連結印刷時に画像調整データを保持していない原稿読取装置の面と画像形成装置の面との組み合わせで出力を行おうとした場合に、ユーザーに画像調整データを保持していていないという警告を出す、もしくは出力を不可にすることを特徴とした上記（１６）に記載の画像形成装置。これによれば、連結印刷時に画像調整データを保持していない原稿読取装置の面と画像形成装置の面との組み合わせの場合においては、画像出力を行わない、もしくはユーザーに警告を出すため、画像調整されていない不良な画像が出力されることを防ぐことが出来る。
【００５６】
（１８）連結印刷時に、ある一定期間の間、自動画像調整を行っていない原稿読取装置の面と画像形成装置の面との組み合わせで出力を行おうとした場合に、ユーザーに警告を出す、もしくは出力を不可にすることを特徴とした上記（１６）又は（１７）に記載の画像形成装置。これによれば、適切でない画像調整データを保持している原稿読取装置の面と画像形成装置の面との組み合わせでの連結印刷時においては、画像出力を行わない、もしくはユーザーに警告を出すため、画像調整が不完全で不良な画像が出力されることを防ぐことが出来る。
【００５７】
本発明の他の目的および特徴は図面を参照した以下の実施例の説明により明らかになろう。
【００５８】
【実施例】
図１に、本発明の１実施例の印刷システムを示す。この印刷システムは、原稿画像を読み取りそして印刷する複写機能，原稿画像を読み取りその画像データを他の装置に転送する機能および転送された画像を印刷する機能を備えた複合機能複写機Ａ，Ｂ，Ｃ，原稿画像を読み取りそして他の装置に転送する機能を備えた原稿スキャナＧ，画像データの転送をうけそして印刷する機能を備えたプリンタＤ，Ｅ，Ｆ、ならびに、画像データの転送を指示する機能を備えたパソコンＰＣを、通信媒体を介して相互に接続し、装置間で画像データを相互に転送して画像をプリントアウトするものであり、少なくとも１台の複写機又は原稿スキャナを使用して原稿画像を読み取り、その印刷処理を少なくとも２台以上の複写機又はプリンタに分担させる連結印刷が可能である。
【００５９】
複写機Ａ，ＢおよびＣは、既存の複合機能（コピー，ファクシミリ，プリンタ，スキャナ等）の画像入出力機能および通信機能を有する他に、ローカルネットワークＬＡＮ（Ｌｏｃａｌ  Ａｒｅａ  Ｎｅｔｗｏｒｋ）との接続機能，サーバ機能および複数のアプリケーションの操作画面表示機能を持つ。他のプリンタＤ，Ｅ，Ｆ，原稿スキャナＧおよび印刷指令装置であるパソコンＰＣも、ネットワークＬＡＮとの接続機能を持つ。プリンタＤ，Ｅ，Ｆは、ネットワークＬＡＮを介して他の機器から書画情報を受けてプリントアウトできる。原稿スキャナＧは原稿画像を読取って書画情報をネットワークＬＡＮを介して他の機器に転送できる。パソコンＰＣはネットワークＬＡＮを介して、他の機器から書画情報を入手することができ、また、自己が持つ書画情報を他の機器に転送することができる。
【００６０】
加えて印刷指令装置であるパソコンＦには、遠隔から複合機能複写機Ａ〜Ｃあるいは原稿スキャナＧを操作して原稿画像を読取って複合機能複写機Ａ〜Ｃ，パソコン（自機ＰＣおよび他のパソコン），原稿スキャナＧあるいはプリンタＤ〜Ｆに蓄積し、蓄積書画情報ファイルを指定して複合機能複写機Ａ〜ＣおよびプリンタＤ〜Ｆでプリントアウトする「ネットワーク画像入出力アプリケーション」（アプリケーションプログラム：アプリケーションソフト）が装荷（ロード，セットアップ）されている。
【００６１】
図１に示す機器群では、複合機能複写機Ａ〜Ｃが、フアクシミリ通信回線と接続した通信端末およびファクシミリコントローラ（ＦＣＵ）を持ち、個々にファクシミリ送，受信できる。他のプリンタＤ〜Ｆ，原稿スキャナＧおよびパソコンＰＣは、ファクシミリコントローラ（ＦＣＵ）を持たないが、ネットワークＬＡＮを介して送信用の書画情報を複合機能複写機Ａ，Ｂ又はＣに転送して、転送先の複写機からファクシミリ送信することが出来る。また、複合機能複写機Ａ〜Ｃは、受信中に受信書画情報を他の複写機，プリンタ又はパソコンに転送して、転送先の画像メモリに蓄積することができる。蓄積した書画情報は、自己又は他のプリント機能がある機器でプリントアウトできる。パソコンＰＣは、ユーザがネットワークＬＡＮに接続している機器を使用する際のクライアントともなる。
【００６２】
図２に、複合機能複写機Ａを拡大して外観を示す。複写機Ａは、複合機能フルカラーデジタル複写機である。このフルカラー複写機Ａは、大略で、自動原稿送り装置（ＡＤＦ）２３０と、操作ボード２２０と、カラースキャナ２１０と、カラープリンタ１００の各ユニットで構成されている。なお、操作ボード２２０と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、プリンタ１００の機内の制御ボードの画像データ処理装置ＡＣＰ（図５）と直接または間接に通信を行いタイミング制御されて原稿画像の読み取りを行う。
【００６３】
画像データ処理装置ＡＣＰ（図５）には、パソコンＰＣが接続したＬＡＮ（Ｌｏｃａｌ  Ａｒｅａ  Ｎｅｔｗｏｒｋ）が接続されており、ファクシミリコントロールユニットＦＣＵ（図５）には、電話回線ＰＮ（ファクシミリ通信回線）に接続された交換器ＰＢＸが接続されている。カラープリンタ１００のプリント済の用紙は、排紙スタック２６（図３）に排出される。
【００６４】
図３に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットａ〜ｄが、転写紙の移動方向（図中の右下から左上方向ｙ）に沿ってこの順に配置されている。即ち、４連ドラム方式のフルカラー画像形成装置である。
【００６５】
回転可能に支持され矢印方向に回転する第１の像担持体である感光体１の外周部には除電装置５、クリーニング装置４、帯電装置２、現像装置３が配備されている。帯電装置２と現像装置３の間には、露光装置６から発せられる光情報の入るスペースが確保されている。感光体１は４個（ａ，ｂ，ｃ，ｄ）あるが、それぞれ周囲に設けられる画像形成用の部品構成は同じである。現像装置３が扱う色材（トナー）の色が異なる。
【００６６】
第１の像担持体である感光体１は直径が３０から１００ｍｍ程度のアルミニュム円筒表面に、光導電性物質である有機半導体の層を設けた感光体である。その一部が、第２の像担持体である第１転写ベルト７に接している。ベルト状の感光体１も採用可能である。
【００６７】
第１転写ベルト７は矢印方向に移動可能に、回転するローラ８，９および１０間に支持、張架されていて、裏側（ループの内側）には、第１転写手段１１が感光体１の近傍に配備されている。ベルトループの外側に、第１転写ベルト用のクリーニング装置１２が配備されている。第１転写ベルト７より転写した後にその表面に残留する不要のトナーを拭い去る。
【００６８】
露光装置６は公知のレーザ方式で、フルカラー画像形成に対応した光情報を、一様に帯電された感光体表面に潜像として照射する。ＬＥＤアレイと結像手段から成る露光装置も採用できる。第１転写ベルト７は、基体の厚みが５０μｍ乃至６００μｍの樹脂フィルムあるいはゴムを基体にしたベルトで、感光体１からトナーを転写可能とする抵抗値を備える。
【００６９】
図３上で、第１転写ベルト７の右方には、第３の像担持体である第２転写ベルト１３が配備されている。第２転写ベルト１３は矢印方向に移動可能に、回転ローラ１４，１５および１６間に支持、張架されていて、裏側（ループの内側）には、第２転写手段１７が配備されている。ベルトループの外側に、第２転写ベルト用のクリーニング装置１８、チャージャ１９、などが配備されている。クリーニング装置１８は、用紙にトナーを転写した後、残留する不要のトナーを拭い去る。
【００７０】
第２転写手段１７，ローラ１６、第１転写ベルト７を支持するローラ８により、第１転写ベルト７と第２転写ベルト１３は接触し、あらかじめ定められた転写ニップを形成する。第２転写ベルト１３は、基体の厚みが５０μｍ乃至６００μｍの樹脂フィルムあるいはゴムを基体にしたベルトで、第１転写ベルト７からトナーを転写可能とする抵抗値を備えるベルトである。
【００７１】
記録媒体である用紙２０は、図の下方の給紙カセット２１，２２に収納されており、最上の用紙が給紙ローラ３１又は３２で１枚づつ、複数の用紙ガイドを経てレジストローラ３３に搬送される。第２転写ベルト１３の上方に、定着器２３、排紙ガイド２４、排紙ローラ２５、排紙スタック２６が配備されている。
【００７２】
第１転写ベルト７の上方で、排紙スタック２６の下方には、補給用のトナーが収納できる収納部２７が設けてある。トナーの色はマゼンタ、シアン、イエロー、ブラックの四色があり、カートリッジ２８の形態にしてある。粉体ポンプ等により対応する色の現像装置３に適宜補給される。
【００７３】
本体の一部のフレーム２９は、開閉支軸３０を中心として、回動開放が可能な構造にしてあるので、記録媒体の搬送路は大きく開き、ジャムした記録媒体（用紙）の処理を容易にしている。
【００７４】
ここで両面印刷のときの各部の動作を説明する。まず感光体１による、作像が行われる。すなわち、露光装置６の作動により、不図示のＬＤ光源からの光は、不図示の光学部品を経て、帯電装置２で一様に帯電された感光体１のうち、作像ユニットａの感光体上に至り、書き込み情報（色に応じた情報）に対応した潜像を形成する。感光体１上の潜像は現像装置３で現像され、トナーによる顕像が感光体１の表面に形成され保持される。このトナー像は、第１転写手段１１により、感光体１と同期して移動する第１転写ベルト７の表面に転写される。感光体１の表面は、残存するトナーがクリーニング装置４でクリーニングされ、除電装置５で除電され次の作像サイクルに備える。
【００７５】
第１転写ベルト７は、表面に転写されたトナー像を坦持し、矢印の方向に移動する。作像ユニットｂの感光体１に、別の色に対応する潜像が書き込まれ、対応する色のトナーで現像され顕像となる。この像は、すでに第１転写ベルト７に乗っている前の色の顕像に重ねられ、最終的に４色重ねられる。なお、単色黒のみを形成する場合もある。
【００７６】
このとき同期して第２転写ベルト１３は矢印方向に移動していて、第２転写手段１７の作用で、第２転写ベルト１３の表面に第１転写ベルト７表面に作られた画像が転写される。いわゆるタンデム形式である４個の作像ユニットａ〜ｄの各感光体１上で画像が形成されながら、第１，第２転写ベルト７，１３が移動し、作像が進められるので、その時間が短縮できる。
【００７７】
第１転写ベルト７が、所定のところまで移動すると、用紙の別の面に作成されるべきトナー画像が、前述したような工程で再度感光体１により作像され、給紙が開始される。給紙ローラ３１又は３２が反時計方向に回転すると、給紙カセット２１又は２２内の最上部にある用紙２０が引き出され、レジストローラ３３に搬送される。
【００７８】
レジストローラ３３を経て、第１転写ベルト７と第２転写ベルト１３の間に送られる用紙の片側の面に、第１転写ベルト７表面のトナー像が、第２転写手段１７により転写される。更に記録媒体は上方に搬送され、第２転写ベルト１３表面のトナー像が、チャージャ１９により用紙のもう一方の面に転写される。転写に際して、用紙は画像の位置が正規のものとなるよう、タイミングがとられて搬送される。
【００７９】
本実施例では、感光体１に作像されるトナーの極性はマイナスである。第１転写手段１１にプラスの電荷を与えることで、感光体１に作像されたトナーは第１転写ベルト７に転写される。第２転写手段１７にプラスの電荷を与えることで、第１転写ベルト７に転写されたトナーは、第２転写ベルト１３に転写される。用紙を第１，第２転写ベルト７，１３間に送り込み、第２転写手段１７にプラスの電荷を与えることで、第１転写ベルト７に転写されたトナーが用紙の片側の面に転写され、また、第２転写ベルト１３に転写されたトナーは、転写チャージャ１９からプラス極性の電荷与えることで、第２転写ベルト１３表面のマイナス極性のトナーは吸引されて、用紙の他の面に転写される。
【００８０】
上記のステップで両面にトナー像が転写された用紙は、定着器２３に送られ、用紙上のトナー像（両面）が一度に溶融、定着され、ガイド２４を経て排紙ローラ２５により本体フレーム上部の排紙スタック２６に排出される。
【００８１】
図３のように、排紙部２４〜２６を構成した場合、両面画像のうち後から用紙に転写される面（頁）、すなわち第１転写ベルト７から用紙に直接転写される面が下面となって、排紙スタック２６に載置されるから、頁揃えをしておくには２頁目の画像を先に作成し、第２転写ベルト１３にそのトナー像を保持し、１頁目の画像を第１転写ベルト７から用紙に直接転写する。
【００８２】
第１転写ベルト７から直接に用紙に転写される画像は、感光体表面で正像にし、第２転写ベルト１３から用紙に転写されるトナー像は、感光体表面で逆像（鏡像）になるよう露光される。このような頁揃えのための作像順、ならびに、正、逆像（鏡像）に切り換える画像処理も、ＩＭＡＣによるメモリＭＥＭに対する画像データの読書き制御によって行っている。
【００８３】
第２転写ベルト１３から用紙に転写した後、ブラシローラ，回収ローラ，ブレード等を備えたクリーニング装置１８が、第２転写ベルト１３に残留する不要のトナーや紙粉を除去する。
【００８４】
図３ではクリーニング装置１８のブラシローラが第２転写ベルト１３の表面から離れた状態にある。支点１８ａを中心として揺動可能で、第２転写ベルト１３の表面に接離可能な構造になっている。用紙に転写する以前で、第２転写ベルト１３がトナー像を担持しているとき離し、クリーニングが必要のとき、図で反時計方向に揺動し接触させる。除去された不要トナーはトナー収納部３４に集められる。
【００８５】
以上が、「両面転写モード」を設定した両面印刷モードの作像プロセスである。両面印刷の場合には、常にこの作像プロセスで印刷が行われる。片面印刷の場合には、「第２転写ベルト１３による片面転写モード」と「第１転写ベルト７による片面転写モード」の２つがあり、前者の第２転写ベルト１３を用いる片面転写モードを設定した場合には、第１転写ベルト７に４色重ね（又は単色黒）で形成された顕像が第２転写ベルト１３に転写され、そして用紙の片面に転写される。用紙の他面には画像転写はない。この場合、排紙スタック２６に排出された印刷済用紙の上面に印刷画面がある。
【００８６】
後者の第１転写ベルト７を用いる片面転写モードを設定した場合には、第１転写ベルト７に４色重ね（又は単色黒）で形成された顕像が、第２転写ベルト１３には転写されずに、用紙の片面に転写される。用紙の他面には画像転写はない。この場合は、排紙スタック２６に排出された印刷済用紙の下面に印刷画面がある。
【００８７】
図４に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００８８】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿の表面の画像は、読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。また、原稿の裏面の画像は、光源および撮像素子を内蔵する撮像装置２０８で読取られ光電変換される。すなわちＲＧＢ各色画像信号に変換される。
【００８９】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００９０】
図５に、図２に示す複写機の画像処理系統のシステム構成を示す。このシステムでは、読取ユニット２１１と画像データ出力Ｉ／Ｆ（Ｉｎｔｅｒｆａｃｅ：インターフェイス）２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）から、書込みＩ／Ｆ１３４ＹＭＣＫ記録画像データを受けて、作像ユニット１３５でプリントアウトする。作像ユニット１３５は、図３に示すものである。
【００９１】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００９２】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上の信号処理しかつＲＧＢ画像データに変換しかつシェーディング補正して、出力Ｉ／Ｆ２１２を介してＣＤＩＣに送出する。
【００９３】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００９４】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００９５】
画像メモリアクセス制御ＩＭＡＣ（以下では単にＩＭＡＣと記述）は、ＭＥＭおよびＨＤＤに対する画像データ，制御データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００９６】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００９７】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００９８】
ＩＭＡＣは、システムコントローラ３１ａの制御に基づいて、画像データとＭＥＭ，ＨＤＤのアクセス制御，ＬＡＮ上に接続した図示しないパソコンＰＣ（以下では単にＰＣと表記）のプリント用データの展開，ＭＥＭ，ＨＤＤの有効活用のための画像データの圧縮／伸張をおこなう。
【００９９】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【０１００】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【０１０１】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能，連結転送機能等の処理内容を設定する。
【０１０２】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【０１０３】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【０１０４】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【０１０５】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【０１０６】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【０１０７】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【０１０８】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ１を不揮発メモリ３５ａおよびＲＡＭ３４ａと接続する。
【０１０９】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【０１１０】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【０１１１】
図６に、ＣＤＩＣの機能構成の概要を示す。画像データ入出力制御１６１は、カラー原稿スキャナ２１０（ＳＢＵ）が出力する画像データを受けて、ＩＰＰに出力する。ＩＰＰは、「スキャナ画像処理」１９０（図８，図９）をして、ＣＤＩＣの画像データ入力制御１６２に送りだす。画像データ入力制御１６２が受けたデータは、パラレルバスＰｂでの転送効率を高めるためにデータ圧縮部１６３に於いて、画像データの１次圧縮を行う。圧縮した画像デ−タは、データ変換部１６４でパラレルデータに変換してパラレルデータＩ／Ｆ１６５を介してパラレルバスＰｂへ送出される。パラレルデータバスＰｂからパラレルデータＩ／Ｆ１６５を介して入力される画像データは、データ変換部１６４でシリアル変換される。このデータは、バス転送のために１次圧縮されており、データ伸張部１６６で伸張される。伸張された画像データは、画像データ出力制御１６７によってＩＰＰへ転送される。ＩＰＰでは、「画質処理」３００（図８，図９）によりＲＧＢ画像データをＹＭＣＫ画像データに変換し、プリンタ１００の画像出力用の画像データＹｐ，Ｍｐ，Ｃｐ，Ｋｐに変換してカラープリンタ１００に出力する。
【０１１２】
ＣＤＩＣは、パラレルバスＰｂで転送するパラレルデータとシリアルバスＳｂで転送するシリアルデータの変換機能を併せ持つ。システムコントローラ３１ａは、パラレルバスＰｂにデータを転送し、プロセスコントローラ１３１は、シリアルバスＳｂにデータを転送する。２つのコントローラ１，１３１の通信のために、デ−タ変換部１６４およびシリアルデ−タＩ／Ｆ１６９で、パラレル／シリアルデータ変換を行う。シリアルデータＩ／Ｆ１６８は、ＩＰＰ用であり、ＩＰＰともシリアルデ−タ転送する。
【０１１３】
図７に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。２次圧縮／伸張モジュール１７６、画像編集モジュール１７７、パラレルバス制御１７１、シリアルポート制御１７５およびネットワーク制御１７８は、それぞれＤＭＡＣ（ダイレクトメモリアクセス制御）を介してアクセス制御１７２に接続されている。
【０１１４】
システムＩ／Ｆ  １７９はシステムコントローラ３１ａに対する命令またはデータの送受信をおこなう。基本的に、システムコントローラ３１ａはＡＣＰ全体を制御する。また、システムコントローラ３１ａはＭＥＭ，ＨＤＤの資源配分を管理し、他のユニットの制御は、システムＩ／Ｆ  １７９、パラレルバス制御１７１およびパラレルバスＰｂを介しておこなう。
【０１１５】
ＡＣＰの各ユニットは基本的にパラレルバスＰｂに接続されている。したがって、パラレルバス制御１７１は、バス占有の制御をおこなうことによってシステムコントローラ３１ａおよびＭＥＭ，ＨＤＤに対するデータの送受信を管理する。
【０１１６】
ネットワーク制御１７８は、ＬＡＮとの接続を制御する。ネットワーク制御１７８は、ネットワークに接続された外部拡張機器に対するデータの送受信を管理する。ここで、システムコントローラ３１ａは、ネットワーク上の接続機器の動作管理には関与しないが、ＩＭＡＣにおけるインターフェースについては制御をおこなう。
【０１１７】
シリアルバスに接続されるシリアルポート１７４は複数のポートを備えている。シリアルポート制御１７５は、用意されているバスの種類に対応する数のポート制御機構を備えている。外部シリアルポートとは別に、操作部とのコマンド受け付けまたは表示に関するデータの送受信の制御を行う。
【０１１８】
ローカルバス制御１８０は、システムコントローラ３１ａを起動させるために必要なＲＡＭ３４ａ，不揮発メモリ３５ａおよびプリンタコードデータを展開するフォントＲＯＭ３６ａが接続されたローカルシリアルバスＲｂとのインターフェースをおこなう。
【０１１９】
動作制御は、システムＩ／Ｆ  １７９からシステムコントローラ３１ａによるコマンド制御を実施する。データ制御はＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【０１２０】
取り込まれた画像データのメモリアクセスは、システムコントローラ３１ａの管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【０１２１】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【０１２２】
シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【０１２３】
ネットワークまたはシリアルバスに接続されたＰＣからのプリント出力データは、システムコントローラ３１ａにより、ローカルバス上のフオントデータを用いて、ＭＥＭ，ＨＤＤ内のメモリエリアに展開される。
【０１２４】
各外部ユニットとのインターフェースについては、システムコントローラ３１ａが管理する。ＩＭＡＣ内に取り込まれた後のデータ転送については、図７に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【０１２５】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ３１ａからのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【０１２６】
ＩＭＡＣは、その内部でのデータ加工に関して２次圧縮／伸張モジュール１７６および画像編集モジュール１７７を有する。２次圧縮／伸張モジュール１７６は、画像データまたはコードデータをＭＥＭ，ＨＤＤへ有効に蓄積できるようにデータの圧縮および伸張をおこなう。２次圧縮／伸張モジュール１７６はＤＭＡＣによりＭＥＭ，ＨＤＤとのインターフェースを制御する。
【０１２７】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【０１２８】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【０１２９】
図８に、ＩＰＰの画像処理概略を示す。読み取り画像はＳＢＵ、ＣＤＩＣを介してＩＰＰの入力Ｉ／Ｆ（インターフェース）から「スキャナ画像処理」１９０へ伝達される。この「スキャナ画像処理」１９０は、読み取り画像信号の読み取り劣化補正が目的で、シェーディング補正を行った後にスキャナガンマ変換等を行った後にＣＤＩＣにデータは転送されて、ＭＥＭ，ＨＤＤでの蓄積が行われる。ＭＥＭ，ＨＤＤに蓄積し、そして読み出された画像データは、ＣＤＩＣを経由して再びＩＰＰに転送される。ここで「地肌除去補正処理」が行われる。そして「画質処理」３００が行われる。
【０１３０】
図９に、ＩＰＰの画像処理機能の概要を示す。ＩＰＰは分離生成（画像が文字領域か写真領域かの判定：像域分離）１９２，地肌除去１９３，スキャナガンマ変換１９４，フィルタ１９５，色補正３０２，変倍３０３，画像加工３０４，プリンタガンマ変換３０５および階調処理６０６を行う。ＩＰＰは画像処理をおこなうプログラマブルな演算処理手段である。スキャナ２１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【０１３１】
図１０に、ＩＰＰの内部構成の概要を示す。ＩＰＰは、スキャナ２１０の出力Ｉ／ＦからＣＤＩＣを介しての画像データの受け入れならびにＣＤＩＣに対する画像データの入出力は入出力ポート１４１で行う。入出力画像データは、バススイッチおよびバッファメモリを含むデータバッファ又は入出力データレジスタ１４２に一旦格納してから、ＳＩＭＤ型プロセッサ１４３のメモリ制御を介してプロセッサアレイ１４４に入力され、あるいはＣＤＩＣに出力される。ＩＰＰを制御するデータならびにＩＰＰの画像処理プログラム（プログラムと処理パラメータ）は、ＨＤＤにあり、システムコントローラ３１ａ，ＣＤＩＣあるいはプロセスコントローラ１３１の転送制御によって、ホストバッファ１４７に与えられ、データＲＡＭ１４６およびプログラムＲＡＭ１４５に書込まれる。
【０１３２】
この実施例では、プロセッサアレイ１４４は、ＳＩＭＤ（Ｓｉｎｇｌｅ  Ｉｎｓｔｒｕｃｔｉｏｎ  ｓｔｒｅａｍ  Ｍｕｌｔｉｐｌｅ  Ｄａｔａ  ｓｔｒｅａｍ）型プロセッシングエレメント（ＰＥ）群であり、複数のデータに対し、単一の命令を並列に実行させるもので、各プロセッシングエレメントＰＥ（ＰＥ１，ＰＥ２，ＰＥ３，・・・）が各データを処理する。それぞれのプロセッシングエレメントＰＥ（以下では単にＰＥと表記することもある）は、自己宛てのデータを格納する入出力レジスタ、他のＰＥのレジスタをアクセスするためのマルチプレクサ（以下ではＭＵＸと表記）、論理演算器（以下ではＡＬＵと表記）、論理結果を格納するアキュムレータレジスタ（以下では単にアキュムレータ）、アキュムレータの内容を一時的に退避させるテンポラリレジスタから構成される。
【０１３３】
各入出力レジスタはアドレスバスおよびデータバス（リード線およびワード線）に接続されており、処理を規定する命令コード，処理の対象となるデータ等を格納する。入出力レジスタの内容はＡＬＵに入力され、演算処理結果はアキュムレータに格納される。結果をＰＥ外部に取り出すために、テンポラリレジスタに一旦退避させ、入出力レジスタ（の出力レジスタに割当てたもの）に書込み、各ＰＥの結果データを順次に（シリアルに）出力することにより、対象データに対する処理結果がラスタ（シリアル転送）形式で得られる。
【０１３４】
命令コードは各ＰＥに同一内容で与え、個々に異なる処理対象データをＰＥごとに与え、隣接ＰＥの入出力レジスタの内容をＭＵＸにおいて参照することで、各ＰＥは、他のＰＥが保持する処理対象データを参入した演算も行うことができる。演算結果はアキュムレータに出力される。全ＰＥは同時に同じ命令コードに従う同じ演算を行う。すなわち並列処理する。
【０１３５】
たとえば、画像データ１ラインの内容を各画素ごとにＰＥに配置し、同一の命令コードで演算処理させれば、１画素づつ逐次処理するよりも短時間で１ライン分の処理結果が得られる。特に、空間フィルタ処理、シェーディング補正処理，属性検出処理はＰＥごとの命令コードは演算式そのもので、ＰＥ全てに共通に処理を実施することができる。
【０１３６】
入出力レジスタには、その外部からの入力データを入力可能、さらに外部への出力可能な各８ビット構成のレジスタが複数個ある。ＡＬＵは、入出力レジスタからデータをロードして演算可能かつ、演算結果を入出力レジスタに格納可能な１６ｂｉｔＡＬＵであり、アキュムレータとテンポラリレジスタも１６ｂｉｔ構成である。また各ＡＬＵはＴレジスタ１ｂｉｔを持ちその値によって各々のＡＬＵがプログラム処理を実行するか否かを独立に選択する。
【０１３７】
上記構成のＰＥが並列に複数個並び、単一のプログラムにしたがって並列に動作する。以下では、１画素の画像データを１ＰＥで変換するとし、１ラスタ上の、１ブロックの画像データ群を同時にガンマ変換するデータ変換を説明する。このガンマ変換は、スキャナガンマ変換１９４（図９）およびプリンタガンマ変換３０５（図９）で行われるが、スキャナガンマ変換１９４とプリンタガンマ変換３０５では、別個の変換特性規定データセットが用いられる。これらの変換特性規定データセットおよびそれを用いるデータ変換制御プログラムはＨＤＤに登録されている。
【０１３８】
スキャナ２１０による原稿画像読取のときには、スキャナガンマ変換１９４を含むスキャナ画像処理１９０のための制御プログラムおよび参照データが、ＨＤＤから読み出されてＩＰＰのプログラムＲＡＭ１４６および外部データＲＡＭ１４５に書込まれる。グローバルプロセッサ１４９が、プログラムＲＡＭ１４６および外部データＲＡＭ１４５のデータに基いて、スキャナ画像処理１９０（図９）を行う。
【０１３９】
プリンタ１００による画像のプリントアウトのときには、プリンタガンマ変換３０５を含むプリンタ画質処理３００（図９）のための制御プログラムおよび参照データが、ＨＤＤから読み出されてＩＰＰのプログラムＲＡＭ１４６（図１０）および外部データＲＡＭ１４５に書込まれる。グローバルプロセッサ１４８が、プログラムＲＡＭ１４６および外部データＲＡＭ１４５のデータに基いて、プリンタ画質処理３００を行う。
【０１４０】
図１１に示す様に、操作ボード２２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【０１４１】
液晶タッチパネル７９には、各種機能キー及び画像形成装置の状態を示すメッセージなどが表示される。液晶ディスプレイ７９には、「コピー」機能，「スキャナ」機能，「プリント」機能，「ファクシミリ」機能，「蓄積」機能，「編集」機能，「登録」機能，「連結」機能およびその他の機能の選択用および実行中を表わす機能選択キー８０ｇが表示される。機能選択キー８０ｇで指定された機能に定まった入出力画面が表示され、例えば「複写」機能が指定されているときには、図１１に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。初期設定キー８０ｄが押されたときには、液晶タッチパネル７９の表示は図１２に示すものに切り換わる。
【０１４２】
操作ボード２２０が、初期設定キー８０ｄの操作を検知すると、操作ボード２２０がその液晶タッチパネル７９に、図１２に示す初期設定メニュー画面を表示する。このメニュー画面上の「システム初期設定」ボタンをクリックすると、操作ボード２２０がその液晶タッチパネル７９に、メニュー画面が表示される。ユーザがメニュー画面上の「連結登録」ボタンをクリックすると操作ボード２２０は連結対象機器登録画面を液晶タッチパネル７９に表示する。ユーザが図１に示す印刷システムにおいて、画像データ源（送給側）となり得る機器名を入力すると、操作２２０ボードがその内部の不揮発メモリに割りつけた画像源テーブル（メモリの１領域）に登録する。ユーザが印刷出力をすることが出来る機器名を入力すると、操作２２０ボードがその内部の不揮発メモリに割りつけたプリンタテーブル（メモリの１領域）に登録する。
【０１４３】
図１２に示す初期設定メニュー画面の「連結初期設定」ボタンをクリックすると、操作ボード２２０が液晶タッチパネル７９に、図１３に示す、連結で印刷出力機器となるプリンタテーブルに登録があるプリンタおよび表／裏面印刷モードを選択する入力画面が表示される。ここでユーザが図１３に示すように、複合機能複写機Ａの表面印刷モードを選択して「実行」をクリックすると、操作ボード２２０が入力情報をシステムコントローラ３１ａに転送し、システムコントローラ３１ａが、ＨＤＤに登録されている、連結印刷の自動階調補正（Ａｕｔｏｍａｔｉｃ  Ｃｏｌｏｒ  Ｃａｌｉｂｒａｔｉｏｎ）用の基準画像ＡｃＰ（図１４）の、指定された表面印刷モード又は裏面印刷モードのプリントアウトをプロセスコントローラ１３１に指令し、基準画像ＡｃＰをプリントアウトする。このときカラー基準パターンである基準画像ＡｃＰは、作像ユニットａ，ｂ，ｃ，ｄに書き込まれ、現像されたあとに第１転写ベルト７に転写され、表面印刷モードが指定されているときには、第１転写ベルト７から、レジストローラ３３から送られてくる用紙に転写される。裏面印刷モードが指定されているときには、第１転写ベルト７から次いでそのまま第２転写ベルト１３に転写され、第２転写ベルト１３が１周してから、用紙に転写される。
【０１４４】
この印刷が終ると、システムコントローラ３１ａが操作ボード２２０の液晶タッチパネル７９の表示を、図１５に示す、連結で画像源（画像送出側）となる、画像源テーブルに登録があるスキャナおよび表／裏面読取モードを選択する入力画面が表示される。ここでユーザが、図１５に示すように、複合機能複写機Ｂの表面印刷モードを選択して「実行」をクリックし、そして、基準画像ＡｃＰを印刷した用紙を複合機能複写機Ｂのスキャナの表面読取にセットして複合機能複写機Ｂに画像読取と複合機能複写機Ａへの送信を指示すると、複合機能複写機Ｂが、そのスキャナの表面読取で基準画像を読取って複合機能複写機Ａに画像データを送信する。それを受信するとＡＣＰが、受信した画像データ（基準画像ＡｃＰ）を用いる自動階調補正を行って、複合機能複写機Ａの表面印刷モードで高品質の印刷をするための調整データを算出して、ＨＤＤに、複合機能複写機Ｂの表面読取モードと複合機能複写機Ａの表面印刷モードとの組合せである連結印刷モード宛ての、自動階調補正用の調整データとして登録する。この登録を終了すると、ＡＣＰは、基準画像データを送って来た複合機能複写機Ｂに、複写機Ｂの表面画像読取／複写機Ａの表面印刷の連結印刷の調整データの設定完了を表わす情報を、年月日データを付して送信する。複合機能複写機Ｂは、その操作ボード（２２０）に該連結印刷の調整データの設定完了情報を、年月日データを付して登録する。
【０１４５】
なお、図１４に示す基準画像ＡｃＰは、Ｋ（黒）を最高濃度から白（背地）まで連続に表わすＫパッチＫｐ１，Ｋｐ２、Ｃ（シアン）を最高濃度から白（背地）まで連続に表わすＣパッチＣｐ１，Ｃｐ２、Ｍ（マゼンタ）を最高濃度から白（背地）まで連続に表わすＭパッチＭｐ１，Ｍｐ２、および、Ｙ（イエロー）を最高濃度から白（背地）まで連続に表わすＹパッチＹｐ１，Ｙｐ２を等ピッチで並べたものである。なお、基準パターンが印刷された用紙には、正しい方向でスキャナ（２１０）のコンタクトガラス（２３１）上又はＡＤＦ（２３０）の原稿台（２４１）にセットする必要があるため、セット方向を示す矢印マークも併せて印刷される。ユーザは印刷された基準画像ＡｃＰを、矢印マークに従った所定の向きでスキャナ（２１０）のコンタクトガラス（２３１）上又はＡＤＦ（２３０）の原稿台（２４１）にセットする。
【０１４６】
この実施例では、連結印刷モードの自動階調補正は、ガンマ変換３０５（図９）で行うようにしているので、ＡＣＰのＩＰＰにカラー基準画像の各色カラーパッチの画像データを順次に与えて、カラーパッチ上の、各色基準濃度範囲０〜２５５を８区分する境界濃度基準値３１，６３，９５，１２７，１５９，１９１および２２３のそれぞれに対応付けられている位置の実際の画像データを各基準値とするためのガンマ変換データを算出し、それを調整データとしている。該調整データを用いるガンマ変換３０５を実行するときには、プリンタガンマ変換３０５を含むプリンタ画質処理３００（図９）のための制御プログラムおよび参照データ（調整データを含む）が、ＨＤＤから読み出されてＩＰＰのプログラムＲＡＭ１４６（図１０）および外部データＲＡＭ１４５に書込まれる。ガンマ変換３０５におてはグローバルプロセッサ１４８が、プログラムＲＡＭ１４６および外部データＲＡＭ１４５のデータに基いて、各色基準濃度範囲０〜２５５の境界濃度基準値３１，６３，９５，１２７，１５９，１９１および２２３に宛てた調整データにもとづいて補間演算により、各色基準濃度範囲０〜２５５（全範囲）のガンマ変換テーブルを生成して、それを用いて与えられる画像データを補正（ガンマ変換）する。
【０１４７】
複写機ＢおよびＣは、機械的な構造は異なっても、電気システム構成および機能は上述の複写機Ａと同じである。プリンタＤ，Ｅ，Ｆは、図５に示す電気システムのスキャナ２１０およびＡＤＦ２３０を削除した構成であり、印刷機能および外部に対する通信機能は、複写機Ａと同等である。ただし、原稿読取機能がないので、操作ボード２２０は、「コピー」，「スキャナ」，「フアクシミリ」ボタンをマスキングによって隠している。スキャナおよびＡＤＦを増設すると、これらのプリンタＤ，Ｅ，Ｆも、機械的な構造は異なっても、電気システム構成および機能は上述の複写機Ａと同等になる。
【０１４８】
パソコンＰＣには、図５に示す画像データ処理装置ＡＣＰおよび操作ボードの機能相当を実現するハードウエアおよびアプリケーションプログラムがあり、原稿読取機能および印刷機能はないが、他の機器を指定して図１１のブロック８０ｇ内に示す各機能を実行（指令）する機能がある。
【０１４９】
原稿スキャナＧは、図５に示す電気システムのプリンタ１００，給紙トレイ２７０，給紙バンク２８０を削除した構成であり、画像読取機能および外部に対する通信機能は、複写機Ａと同等である。ただし、印刷機能がないので、操作ボード２２０は、「コピー」，「プリント」，「フアクシミリ」ボタンをマスキングによって隠している。プリンタ１００を増設すると、原稿スキャナも、機械的な構造は異なっても、電気システム構成および機能は上述の複写機Ａと同等になる。
【０１５０】
上述の「連結初期設定」の操作を、複写機Ａに対しては、原稿スキャナがある複写機Ｂ，Ｃおよび原稿スキャナＧのそれぞれに対して実行することにより、複写機ＡのＨＤＤには、複写機Ｂ，Ｃおよび原稿スキャナＧの各原稿読取画像データを複写機Ａで高画質でプリントアウトするための各調整データが登録される。そして複写機Ｂ，Ｃおよび原稿スキャナＧのそれぞれの操作ボード（２２０）には、該連結印刷の調整データの設定完了情報が、年月日データを付して登録される。
【０１５１】
同様に、複写機Ｂにおいては、原稿スキャナがある複写機Ａ，Ｃおよび原稿スキャナＧのそれぞれに対して実行することにより、複写機ＢのＨＤＤには、複写機Ａ，Ｃおよび原稿スキャナＧの各原稿読取画像データを複写機Ｂで高画質でプリントアウトするための各調整データが登録される。そして複写機Ａ，Ｃおよび原稿スキャナＧのそれぞれの操作ボード（２２０）には、該連結印刷の調整データの設定完了情報が、年月日データを付して登録される。
【０１５２】
複写機Ｃにおいては、原稿スキャナがある複写機Ａ，Ｂおよび原稿スキャナＧのそれぞれに対して実行することにより、複写機ＣのＨＤＤには、複写機Ａ，Ｂおよび原稿スキャナＧの各原稿読取画像データを複写機Ｃで高画質でプリントアウトするための各調整データが登録される。そして複写機Ａ，Ｂおよび原稿スキャナＧのそれぞれの操作ボード（２２０）には、該連結印刷の調整データの設定完了情報が、年月日データを付して登録される。
【０１５３】
プリンタＤ，Ｅ，Ｆのそれぞれにおいても、上述の「連結初期設定」の操作を、原稿スキャナがある複写機Ａ，Ｂ，Ｃおよび原稿スキャナＧのそれぞれに対して実行することにより、各プリンタＤ，Ｅ，ＦのＨＤＤには、複写機Ａ，Ｂ，Ｃおよび原稿スキャナＧの各原稿読取画像データを各複写機プリンタで高画質でプリントアウトするための各調整データが、年月日データを付して登録される。そして複写機Ａ，Ｂ，Ｃおよび原稿スキャナＧのそれぞれの操作ボード（２２０）には、該連結印刷の調整データの設定完了情報が、年月日データを付して登録される。
【０１５４】
上述のように、この実施例では、各連結の調整データは、連結において画像データを受取ってプリントアウトする機器側（Ａ〜Ｃ，Ｄ〜Ｆ）のＨＤＤに登録され、連結印刷のための自動画質調整はプリントアウトする機器側のＡＣＰ（のＩＰＰ）が行う。
【０１５５】
再度図１１を参照する。液晶タッチパネル７９に表示した機能選択キー８０ｇのなかの、「連結」をユーザがクリックすると、操作ボード２２０は図１６に示す連結印刷の入力画面を液晶タッチパネル７９に表示する。操作ボード２２０は、該入力画面の画像源表示ブロック８０ｊ内に、画像源テーブルに登録がある機器名を表示し、印刷表示ブロック８０ｋ内に、プリンタテーブルに登録がある機器名を表示する。ここでユーザは、画像源表示ブロック８０ｊに表記された機器名から、連結印刷で画像供給側となる機器（通常は自機）を指定し、画像読取モード（表面読取および又は裏面読取り）を指定する。そして印刷表示ブロック８０ｋに表記された機器名から、連結印刷で印刷出力する機器（通常は他機）を指定し、印刷モード（表面印刷および又は裏面印刷）を指定し、更に、印刷部数を指定する。そして「実行」をクリックする。これに応答して操作ボード２２０は、入力情報をＡＣＰ（のシステムコントローラ３１ａ）に報知し、この入力情報に対応した画像読取／画像データ送信／画像印刷の連結モードの制御および画像データ送信を行う。
【０１５６】
なお、上記連結印刷の指定のとき、指定した画像源と指定する印刷出力機器との連結印刷の調整データの設定完了情報が登録されていないと、操作ボード２２０は、図１７に示すように、液晶タッチパネル７９の印刷機器表示ブロック８０ｋ内の、該当の印刷機器（Ｄ）を注目表示に切替えて、それを指す「連結の調整データがありません。連結初期設定をしてから指定してください。このままでは印刷品質が悪くなります。続行しますか？  ＮＯ，  ＹＥＳ」との警報８０ｍをポップアップ表示する。ユーザがＮＯをクリックすると、操作ボード２２０は該印刷機器（Ｄ）の指定をキャンセルする。ユーザがＹＥＳをクリックすると、操作ボード２２０は、該印刷機器（Ｄ）の指定を受入れるが、調整データが存在しないので、該印刷機器（Ｄ）では標準の調整データ（連結指定でない通常のコピー又は印刷で用いられる）調整データを用いて自動階調補正を行う。
【０１５７】
また、連結印刷の調整データの設定完了情報が登録されていても、それに付帯した年月日データが、現在年月日よりも初期設定で設定されている閾値期間値以上古いと、操作ボード２２０は、図１８に示すように、液晶タッチパネル７９の印刷機器表示ブロック８０ｋ内の、該当の印刷機器（Ｅ）を注目表示に切替えて、それを指す「連結の調整データが古過ぎます。連結初期設定をしてから指定してください。印刷品質が悪くなる可能性があります。続行しますか？  ＮＯ，  ＹＥＳ」との警報８０ｎをポップアップ表示する。ユーザがＮＯをクリックすると、操作ボード２２０は該印刷機器（Ｅ）の指定をキャンセルする。ユーザがＹＥＳをクリックすると、操作ボード２２０は、該印刷機器（Ｅ）の指定を受入れる。該印刷機器（Ｅ）では古いと見なされた調整データを用いて自動階調補正を行う。
【０１５８】
以上に説明した実施例では、連結印刷で自動階調補正を行うための調整データを印刷機器側のＨＤＤに登録して印刷機器側のＩＰＰで、該調整データを用いて、画像読取側の機器が送信してくる画像データの自動階調補正を行うようにしている。
【０１５９】
本発明の第２実施例では、連結印刷で印刷を行う機器（たとえばＢ）で基準画像を用紙に印刷する。そして画像読取側の機器（たとえばＡ）で、該用紙の画像を読取りしかも、読取った画像データに基いて、印刷機器（Ｂ）で該画像を高品質で印刷するに必要な画像データに補正する調整データを算出して読取側機器（Ａ）のＨＤＤに登録する。そして、この組合せの連結印刷が指定されたときには、読取側機器（Ａ）がそれが原稿を読取った画像データを該調整データで印刷機器（Ｂ）で該画像を高品質で印刷するに必要な画像データに補正し、そして印刷機器（Ｂ）に送信する。
【０１６０】
第１実施例では、画像印刷側（複写機Ａ，Ｂ，ＣおよびプリンタＤ，Ｅ，Ｆのそれぞれ）に、原稿読取側（各複写機Ａ，Ｂ，Ｃおよび原稿スキャナＧ）が原稿を読取って送ってくる画像データを自己のプリンタで高品質にプリントアウトするための各調整データを保持し、画像印刷側（複写機Ａ，Ｂ，ＣおよびプリンタＤ，Ｅ，Ｆのそれぞれ）が各調整データに基いて自動階調補正を行う。したがって第１実施例では、連結印刷で印刷メンバとなる複写機Ａ，Ｂ，ＣおよびプリンタＤ，Ｅ，Ｆのそれぞれが、連結印刷で画像読取メンバとなる複写機Ａ，Ｂ，Ｃおよび原稿スキャナＧのすべての原稿スキャナの画像データを補正するための各調整データを保持する。
【０１６１】
しかし第２実施例では、画像読取側（複写機Ａ，Ｂ，Ｃおよび原稿スキャナＧのそれぞれ）に、その原稿読取の画像データを、画像印刷側（各複写機Ａ，Ｂ，ＣおよびプリンタＤ，Ｅ，Ｆ）で高品質にプリントアウトするための画像データに補正するための各調整データを保持し、画像読取側（複写機Ａ，Ｂ，Ｃおよび原稿スキャナＧのそれぞれ）が各調整データに基いて自動階調補正を行い、補正した画像データを画像印刷側に送信する。したがって第２実施例では、連結印刷で画像読取メンバとなる複写機Ａ，Ｂ，Ｃおよび原稿スキャナＧのそれぞれが、自己が発生する画像データを、連結印刷で画像印刷メンバとなる複写機Ａ，Ｂ，ＣおよびプリンタＤ，Ｅ，Ｆの印刷特性に合う画像データに補正するための各調整データを保持する。
【０１６２】
【発明の効果】
画像処理装置（Ｂ）の原稿読取装置から画像データを画像形成装置（Ａ）に転送して画像形成装置（Ａ）でプリントアウトする連結印刷のための調整データを生成すると、該連結印刷を指定するだけで、高品質の印刷画像が得られる。すなわち、高品質の印刷画像が得られる連結モードの設定が容易である。
【図面の簡単な説明】
【図１】本発明の画像処理装置を用いる印刷システムの一例を示すブロック図である。
【図２】図１に示す、複合画像処理機能があるフルカラー複写機Ａの外観を示す拡大正面図である。
【図３】図２に示すカラープリンタ１００の拡大縦断面図である。
【図４】図２に示すカラースキャナ２１０およびＡＤＦ２３０の拡大縦断面図である。
【図５】図２に示す複写機内の、画像処理システムの構成を示すブロック図である。
【図６】図５に示す画像データインターフェース制御ＣＤＩＣの構成を示すブロック図である。
【図７】図５に示す画像メモリアクセス制御ＩＭＡＣの構成を示すブロック図である。
【図８】図５に示す画像データ処理器ＩＰＰの処理機能の概要を示すブロック図である。
【図９】図８に示す処理機能の内容を示すブロック図である。
【図１０】図５に示す画像データ処理器ＩＰＰのハードウエア構成の概要を示すブロック図である。
【図１１】図２に示す操作ボード２２０の一部の拡大平面図である。
【図１２】初期設定キー８０ｄが操作されたときに操作ボード２２０が液晶タッチパネル７９に表示するメニュー画面を示す平面図である。
【図１３】図１２に示す「連結初期設定」ボタンをユーザがクリックしたときに、操作ボード２２０が表示する入力画面を示す平面図である。
【図１４】自動階調補正のための調整データの設定に用いる基準画像ＡｃＰの平面図である。
【図１５】基準画像ＡｃＰの印刷出力に続いて操作ボード２２０が液晶タッチパネル７９に表示する入力画面を示す平面図である。
【図１６】図１５に示す「連結」をユーザがクリックしたとき、これに応答して操作ボード２２０が液晶タッチパネル７９に表示し、ユーザが指定入力した入力画面を示す平面図である。
【図１７】調整データがない連結印刷が指定されたときに操作ボード２２０が液晶タッチパネル７９に表示する警告を示す平面図である。
【図１８】調整データが古い連結印刷が指定されたときに操作ボード２２０が液晶タッチパネル７９に表示する警告を示す平面図である。
【符号の説明】
１：感光体      ２：帯電装置
３：現像装置    ４：クリーニング装置
５：除電装置    ６：露光装置
７：第１転写ベルト
８〜１０：ローラ
１１：第１転写手段
１２：クリーニング装置
１３：第２転写ベルト
１４〜１６：回転ローラ
１７：第２転写手段
１８：クリーニング装置
１９：チャージャ
２０：用紙（記録媒体）
２１，２２：給紙カセット
２３：定着器    ２４：排紙ガイド
２５：排紙ローラ
２６：排紙スタック
２７：補給トナー収納部
２８：カートリッジ
２９：フレーム  ３０：開閉支軸
３１，３２：給紙ローラ
３３：レジストローラ
８０ｊ：画像源表示ブロック
８０ｋ：印刷表示ブロック
８０ｍ，８０ｎ：警報
【図１】
2005026835.tif 000003
【図２】
2005026835.tif 000004
【図３】
2005026835.tif 000005
【図４】
2005026835.tif 000006
【図５】
2005026835.tif 000007
【図６】
2005026835.tif 000008
【図７】
2005026835.tif 000009
【図８】
2005026835.tif 000010
【図９】
2005026835.tif 000011
【図１０】
2005026835.tif 000012
【図１１】
2005026835.tif 000013
【図１２】
2005026835.tif 000014
【図１３】
2005026835.tif 000015
【図１４】
2005026835.tif 000016
【図１５】
2005026835.tif 000017
【図１６】
2005026835.tif 000018
【図１７】
2005026835.tif 000019
【図１８】
2005026835.tif 000020